(57)【要約】【課題】既設の表札１３に対しても安価で簡単に装飾を行う。【解決手段】表札装飾物１７に表札１３とほぼ同形の貫通窓１８を形成し、この貫通窓１８と表札１３とが重なり合った状態で表札装飾物１７を取付け面１１に取付けるようにしたので、表札１３が既設の場合であっても該表札１３を取り外すことなく設置することができ、この結果、取付け作業を簡単とすることができるとともに、取付け費も安価とすることができる。なお、表札１３が新設の場合も、同様に安価で簡単に装飾を行うことができる。【選択図】    図１
2005055532.tif 000002
【特許請求の範囲】
【請求項１】
建造物のほぼ垂直な取付け面に取付けられた表札の周囲を装飾する表札装飾物であって、前記表札とほぼ同形の貫通窓が形成されるとともに、該貫通窓と表札とが重なり合った状態で前記取付け面または表札のいずれかに取付けるようにしたことを特徴とする表札装飾物。
【請求項２】
前記取付け面または表札に取付け具を用いて着脱可能に取付けるようにした請求項１記載の表札装飾物。
【発明の詳細な説明】
【０００１】
【発明の属する技術分野】
この発明は、建造物のほぼ垂直な取付け面に取付けられた表札の周囲を装飾する表札装飾物に関する。
【０００２】
【従来の技術】
【特許文献１】
実開平７−２３３６９号公報
【０００３】
近年、個性化のブームに乗って表札も種々のデザインのものが市販されるようになり、その延長として表札の周囲を装飾するもの、例えば前記特許文献１に記載されているようなものも提案されるようになった。ここで、前記特許文献１に記載のものは、表面中央部に表示板（表札）が嵌め込まれる取付孔が穿設されるとともに、その両横に花柄等の模様が形成された陶磁器製の装飾物である。そして、前記取付孔の底面または表示板の裏面に接着剤を塗布した後、表示板を取付孔に嵌め込み固定して装飾付き表札を成形し、その後、該装飾付き表札を建造物の取付け面に取付けるようにしている。
【０００４】
【発明が解決しようとする課題】
しかしながら、このような従来の装飾付き表札にあっては、建造物の取付け面に新設する場合には問題はないが、既設の表札の場合には、該表札を取付け面から一旦取り外した後、該表札を前述した装飾物に接着剤により固定し、その後、装飾付き表札としてを再び取付け面に取付けざるを得ず、この結果、作業が面倒になるとともに、取付け費も高価となってしまうという問題点がある。
【０００５】
この発明は、既設の表札に対しても安価で簡単に装飾を行うことができる表札装飾物を提供することを目的とする。
【０００６】
【課題を解決するための手段】
このような目的は、建造物のほぼ垂直な取付け面に取付けられた表札の周囲を装飾する表札装飾物であって、前記表札とほぼ同形の貫通窓が形成されるとともに、該貫通窓と表札とが重なり合った状態で前記取付け面または表札のいずれかに取付けることにより達成することができる。
【０００７】
この発明においては、表札の周囲を装飾する表札装飾物に該表札とほぼ同形の貫通窓を形成し、この貫通窓と表札とが重なり合った状態で表札装飾物を取付けるようにしたので、表札が既設の場合であっても該表札を取り外すことなく設置することができ、この結果、取付け作業を簡単とすることができるとともに、取付け費も安価とすることができる。なお、表札が新設の場合も、同様に安価で簡単に装飾を行うことができる。
【０００８】
また、請求項２に記載のように構成すれば、気分、季節等に応じて表札装飾物を好みのデザインに交換し、全体的印象を斬新なものとすることができる。
【０００９】
【発明の実施の形態】
以下、この発明の第１実施形態を図面に基づいて説明する。
図１、２において、１１は建造物１２のほぼ垂直な取付け面、例えば、門柱の前面、家屋の前壁、塀の前壁であり、この取付け面１１には矩形板状の表札１３が一部埋め込み、接着等により取付けられ、この表札１３の露出した表面には少なくとも名字が、場合によっては、名前、住所等が表示されている。
【００１０】
１７は所望形状にデザインされた薄板状の表札装飾物であり、この表札装飾物１７は前記表札１３より上下、左右方向長さが大きい。また、この表札装飾物１７の中央部には前記表札１３とほぼ同形の貫通した貫通窓１８が形成されており、この貫通窓１８を囲む表札装飾物１７の表面には種々のデザイン、例えば、果物、風景、動物のモチーフ、花の絵、家族のイメージ、幾何学模様等が施されている。また、前記表面にタイル、飾り石等を貼付けたり、夜光塗料で模様を描くようにしてもよい。ここで、前記表札装飾物１７を構成する材料としては、鋳物、鋼、石、ステンレススチール、アルミニウム、木材、真鍮、陶磁器等を挙げることができる。
【００１１】
２２は表札１３の周囲の取付け面１１に接着剤等により固定された取付け具としての面状ファスナー２３の片側、ここでは雄側を構成するファスナー片であり、このファスナー片２２は前記表札装飾物１７からはみ出さないよう表札装飾物１７より小型である。一方、表札装飾物１７の裏面には前記ファスナー片２２と同形で面状ファスナー２３の残り片側、ここでは雌側を構成するファスナー片２４が接着剤等により固定されている。ここで、取付け面１１に凹凸が存在している場合には、シーリング材、セメント等によって平坦面となるよう補修することが好ましい。
【００１２】
そして、前記表札１３に表札装飾物１７の貫通窓１８が前後方向に重なり合った状態で表札装飾物１７を取付け面１１に接近させると、ファスナー片２２にファスナー片２４が係止されて表札装飾物１７が取付け面１１に面状ファスナー２３を介して着脱可能に取付けられるとともに、貫通窓１８内に表札１３の取付け面１１からの突出部分が嵌合される。なお、取付け面１１に雌側のファスナー片を、表札装飾物１７に雄側のファスナー片を固定するようにしてもよい。
【００１３】
ここで、表札装飾物１７と取付け面１１との間の距離を変更する場合には、例えば表札装飾物１７の裏面とファスナー片２４との間に所定厚さのシートを介装すればよく、このようにすれば、表札１３の表面と表札装飾物１７の表面とを希望に応じて合致させたり、前後方向にずらすことができる。なお、表札１３全体が建造物１２に埋設され表札１３の表面が取付け面１１とほぼ同一面上に位置している場合には、表札１３が貫通窓１８内に嵌合されることはないが、この場合には、貫通窓１８を通じて表札１３の表面を視認することができる。
【００１４】
これにより、表札１３の周囲は表札装飾物１７によって装飾されるが、前述のように表札装飾物１７は取付け面１１に着脱可能に取付けられているため、気分、季節等に応じて表札装飾物１７を好みのデザインのものに交換することができ、これにより、表札１３、表札装飾物１７の全体的印象を容易に斬新なものとすることができる。
【００１５】
このように表札装飾物１７に表札１３とほぼ同形の貫通窓１８を形成し、この貫通窓１８と表札１３とが重なり合った状態で表札装飾物１７を取付け面１１に取付けるようにしたので、表札１３が既設の場合であっても該表札１３を取り外すことなく設置することができ、この結果、取付け作業を簡単とすることができるとともに、取付け費も安価とすることができる。なお、表札１３が新設の場合も、同様に安価で簡単に装飾を行うことができる。
【００１６】
図３、４はこの発明の第２実施形態を示す図である。この実施形態においては、前記面状ファスナー２３の代わりに、水平に延びる貫通した円柱状の挿入孔２７が形成された１個以上の孔側係止片２８を取付け面１１に固定するとともに、表札装飾物１７の上端部裏面に前記挿入孔２７と同径の円柱状をした水平な挿入ロッド２９を有し前記孔側係止片２８と同数のロッド側係止片３０を固定している。
【００１７】
そして、表札装飾物１７を取付け面１１に取付ける場合には、図３に仮想線で示すように、表札装飾物１７を下方に向かうに従い取付け面１１から離隔するよう傾斜させた状態で、孔側係止片２８の挿入孔２７内にロッド側係止片３０の挿入ロッド２９を挿入し、その後、前記表札装飾物１７を取付け面１１とほぼ平行となるまで自重により挿入ロッド２９を中心として下方に揺動させる。これにより、貫通窓１８内に表札１３が嵌合され、表札１３の周囲が表札装飾物１７により装飾される。なお、前記挿入孔２７、挿入ロッド２９は水平に延びていたが、垂直に延びていてもよく、また、この場合、前記挿入孔２７、挿入ロッド２９は矩形溝、矩形板状であったもよい。
【００１８】
図５はこの発明の第３実施形態を示す図である。この実施形態においては、貫通窓１８近傍の表札装飾物１７の裏面にばね材料からなり略レの字形に折れ曲がった複数の係止片３５を固定するとともに、これら係止片３５に対応する位置の取付け面１１と表札１３との間に係止片３５が挿入可能な挿入スリット３６を形成している。
【００１９】
そして、表札装飾物１７を取付け面１１に取付ける場合には、係止片３５を挿入スリット３６とほぼ平行となるよう変形させた後、表札装飾物１７を取付け面１１に接近させて係止片３５を挿入スリット３６内に挿入する。これにより、係止片３５は弾性復元力によって挿入スリット３６の側壁に強力に圧接し、これらの間の摩擦力により表札装飾物１７は取付け面１１に着脱可能に取付けられる。このとき、貫通窓１８内に表札１３が嵌合され、表札１３の周囲が表札装飾物１７により装飾される。
【００２０】
図６はこの発明の第４実施形態を示す図である。この実施形態においては、貫通窓１８近傍の表札装飾物１７の裏面に後方に向かって突出するフランジ３９を一体形成している。そして、このような表札装飾物１７を表札１３に取付ける場合には、取付け面１１から突出した部位の表札１３の外側に表札装飾物１７を嵌合した後、フランジ３９に先端が表札１３に当接するまで複数の止めねじ４０をねじ込む。これにより、表札装飾物１７は表札１３に着脱可能に取付けられ、該表札１３の周囲を装飾する。また、この実施形態においては、貫通窓１８の前端部内面にフランジ状の目隠し４１を形成することで、表札１３の外縁部を前方から覆い、表札１３と表札装飾物１７との間の間隙を隠すようにしている。
【００２１】
なお、前述の実施形態においては、表札装飾物１７を取付け面１１または表札１３に着脱可能に取付けるようにしたが、取り替えの必要がない場合には、表札装飾物１７を接着剤等により取付け面１１または表札１３に半永久的に取付けるようにしてもよい。また、前述の実施形態においては、表札装飾物１７を一体物から構成したが、この発明においては、材料の異なる複数個の分割片から構成し、色調等を各部で大きく変化させるようにしてもよい。
【００２２】
【発明の効果】
以上説明したように、この発明によれば、既設の表札に対しても安価で簡単に装飾を行うことができる。
【図面の簡単な説明】
【図１】この発明の第１実施形態を示す正面図である。
【図２】図１のＩ−Ｉ矢視断面図である。
【図３】この発明の第２実施形態を示す側面断面図である。
【図４】一部が破断された図３のＩＩ−ＩＩ矢視図である。
【図５】この発明の第３実施形態を説明する側面断面図である。
【図６】この発明の第４実施形態を説明する側面断面図である。
【符号の説明】
１１…取付け面                １２…建造物
１３…表札                    １７…表札装飾物
１８…貫通窓                  ２３…取付け具
【図１】
2005055532.tif 000003
【図２】
2005055532.tif 000004
【図３】
2005055532.tif 000005
【図４】
2005055532.tif 000006
【図５】
2005055532.tif 000007
【図６】
2005055532.tif 000008